(57)【要約】【課題】ＤＡＳの信号経路の共有構造を採用したＸ線ＣＴ装置において、ＤＡＳの各信号経路の信号処理特性を均一に揃えることなく、その信号処理特性のばらつきに起因するアーチファクトを低減させること。【解決手段】マトリクス状に配置される複数のＸ線検出素子９と、複数のＱＶアンプを有するＱＶアンプユニット１２と、複数のＸ線検出素子とＱＶアンプユニット１２とを接続する第１信号経路１４と、複数のＡＤ変換器を有するＡＤ変換器ユニット１３と、ＱＶアンプユニット１２とＡＤ変換器ユニット１３とを接続する第２信号経路１５と、を有するＸ線ＣＴ装置は、複数のＸ線検出素子９の１つのＸ線検出素子毎に、又は、隣り合う複数のＸ線検出素子毎に、ＱＶアンプユニット１２の信号処理特性及びＡＤ変換器ユニット１３の信号処理特性のうち少なくとも１つを異ならせるように、複数のＸ線検出素子９とＱＶアンプユニット１２とを接続し、ＱＶアンプユニット１２とＡＤ変換器ユニット１３とを接続する。【選択図】  図３
2010259781.tif 000002
【特許請求の範囲】
【請求項１】
マトリクス状に配置される複数のＸ線検出素子と、
複数のＱＶアンプを有するＱＶアンプユニットと、
前記複数のＸ線検出素子と前記ＱＶアンプユニットとを接続する第１の接続部と、
複数のＡＤ変換器を有するＡＤ変換器ユニットと、
前記ＱＶアンプユニットと前記ＡＤ変換器ユニットとを接続する第２の接続部と、を有するＸ線ＣＴ装置において、
前記複数のＸ線検出素子の１つのＸ線検出素子毎に、又は、隣り合う複数のＸ線検出素子毎に、前記ＱＶアンプユニットの信号処理特性及び前記ＡＤ変換器ユニットの信号処理特性のうち少なくとも１つを異ならせるように、前記複数のＸ線検出素子と前記ＱＶアンプユニットとを接続し、前記ＱＶアンプユニットと前記ＡＤ変換器ユニットとを接続することを特徴とするＸ線ＣＴ装置。
【請求項２】
前記複数のＸ線検出素子のうち第１の数のＸ線検出素子のグループが前記複数のＱＶアンプのうちの１つのＱＶアンプを共有し、前記複数のＸ線検出素子のうち第２の数のＸ線検出素子のグループが前記複数のＡＤ変換器のうちの１つのＡＤ変換器を共有することを特徴とする請求項１に記載のＸ線ＣＴ装置。
【請求項３】
前記第１の接続部は、前記１つのＸ線検出素子毎に、前記複数のＱＶアンプのうちの異なるＱＶアンプで信号処理されるように前記複数のＸ線検出素子と前記ＱＶアンプユニットとを接続し、前記第２の接続部は、前記１つのＸ線検出素子毎に、前記複数のＡＤ変換器のうち異なるＡＤ変換器で信号処理されるように前記ＱＶアンプユニットと前記ＡＤ変換器ユニットとを接続することを特徴とする請求項２に記載のＸ線ＣＴ装置。
【請求項４】
前記ＱＶアンプユニットが、前記複数のＱＶアンプのうち第３の数のＱＶアンプによって構成されるＱＶチップを複数有する場合、前記複数のＱＶチップの各ＱＶチップは、前記複数のＸ線検出素子のうち同一列のＸ線検出素子と接続されることを特徴とする請求項３に記載のＸ線ＣＴ装置。
【請求項５】
前記ＱＶアンプユニットが、前記複数のＱＶアンプのうち第３の数のＱＶアンプによって構成されるＱＶチップを複数有する場合、前記複数のＱＶチップの各ＱＶチップは、前記複数のＸ線検出素子のうち異なる列のＸ線検出素子と接続されることを特徴とする請求項３に記載のＸ線ＣＴ装置。
【請求項６】
前記隣り合う複数のＸ線検出素子が、前記第１の数のＸ線検出素子のグループと一致すると共に、前記第２の数のＸ線検出素子のグループと一致する場合であって、前記ＱＶアンプユニットが、前記複数のＱＶアンプのうち第３の数のＱＶアンプによって構成されるＱＶチップを複数有するとき、前記複数のＱＶチップの各ＱＶチップは、前記複数のＸ線検出素子のうち異なる列のＸ線検出素子と接続されることを特徴とする請求項２に記載のＸ線ＣＴ装置。
【請求項７】
前記複数のＸ線検出素子の各Ｘ線検出素子が、前記複数のＱＶアンプの各ＱＶアンプに１対１に対応すると共に、前記複数のＡＤ変換器の各ＡＤ変換器に１対１に対応することを特徴とする請求項１に記載のＸ線ＣＴ装置。
【請求項８】
前記複数のＸ線検出素子のうち第１の数のＸ線検出素子のグループが、前記複数のＱＶアンプのうち第１の数のＱＶアンプによって構成されるＱＶチップを共有し、前記複数のＸ線検出素子のうち第２の数のＸ線検出素子のグループが、前記複数のＡＤ変換器のうち第２の数のＡＤ変換器によって構成されるＡＤチップを共有することを特徴とする請求項７に記載のＸ線ＣＴ装置。
【請求項９】
前記第１の接続部は、前記１つのＸ線検出素子毎に、異なるＱＶチップで信号処理されるように前記複数のＸ線検出素子と前記ＱＶアンプユニットとを接続し、前記第２の接続部は、前記１つのＸ線検出素子毎に、異なるＡＤチップで信号処理されるように前記ＱＶアンプユニットと前記ＡＤ変換器ユニットとを接続することを特徴とする請求項８に記載のＸ線ＣＴ装置。
【請求項１０】
前記複数のＱＶチップの各ＱＶチップに相当する前記第１の数のＸ線検出素子のグループのうち前記第２の数のＸ線検出素子に相当する一部グループを、前記複数のＡＤチップの各ＡＤチップに相当する前記第２の数のＸ線検出素子のグループとすることを特徴とする請求項９に記載のＸ線ＣＴ装置。
【請求項１１】
前記複数のＱＶチップの各ＱＶチップに相当する前記第１の数のＸ線検出素子のグループ内の１つのＸ線検出素子を、他のグループ内の１つのＸ線検出素子と組み合わせることで、前記複数のＡＤチップの各ＡＤチップに相当する前記第２の数のＸ線検出素子のグループを形成することを特徴とする請求項９に記載のＸ線ＣＴ装置。
【請求項１２】
前記隣り合う複数のＸ線検出素子が、前記１つのＱＶチップを共有し、１つのＡＤチップを共有することを特徴とする請求項７に記載のＸ線ＣＴ装置。
【請求項１３】
前記複数のＱＶチップの各ＱＶチップに相当する前記第１の数のＸ線検出素子のグループ内の１つのＸ線検出素子を、他のグループ内の１つのＸ線検出素子と組み合わせることで、前記複数のＡＤチップの各ＡＤチップに相当する前記第２の数のＸ線検出素子のグループを形成することを特徴とする請求項１２に記載のＸ線ＣＴ装置。
【発明の詳細な説明】
【技術分野】
【０００１】
本発明は、被検体を透過したＸ線を検出して画像再構成を行うことにより被検体の画像を生成するＸ線ＣＴ（ｃｏｍｐｕｔｅｄ  ｔｏｍｏｇｒａｐｈｙ）技術に係り、特に、画像再構成に必要な被検体の透過Ｘ線情報をデジタルデータとして収集するデータ収集装置（ＤＡＳ：ｄａｔａ  ａｃｑｕｉｓｉｔｉｏｎ  ｓｙｓｔｅｍ）を備えたＸ線ＣＴ装置に関する。
【背景技術】
【０００２】
近年のＸ線ＣＴ装置が備えるＸ線検出器は、Ｘ線検出素子が２次元配列されて成るＸ線検出素子アレイを用いて構成される。Ｘ線検出素子アレイは、Ｘ線検出器の回転方向であるチャンネル方向のみならず、チャンネル方向と交わるスライス方向（列方向）においてもＸ線検出素子の数が増加する傾向にある。
【０００３】
Ｘ線ＣＴ装置では、各Ｘ線検出素子で生成されたＸ線検出信号（電気信号）は、ＤＡＳ（特許文献１参照）でＱＶ（ｑｕａｎｔｕｍ  ｏｆ  ｅｌｅｃｔｒｉｃ  ｃｈａｒｇｅ）変換、増幅、及びＡＤ（ａｎａｌｏｇ  ｔｏ  ｄｉｇｉｔａｌ）変換等の各種信号処理が施されて投影データとなり、この投影データが画像再構成処理を経てＸ線診断画像となって表示装置に映し出される。
【０００４】
図１０は、従来のＸ線ＣＴ装置の構成例を示す図である。
【０００５】
図１０は、従来のＸ線ＣＴ装置のＸ線検出素子（ＰＤ）９Ｘ、及びＤＡＳ６Ｘを示す。図１０は、Ｘ線検出素子アレイ上の２４個のＸ線検出素子９Ｘが１つのＱＶチップ（図１０中の太線）を共有し、かつ、４個のＸ線検出素子９Ｘが１つのＱＶアンプ及び１つのＡＤ変換器を共有する構造例を示すものである。
【０００６】
ＤＡＳ６Ｘは、ＱＶアンプユニット１２Ｘ、ＡＤ変換器ユニット１３Ｘ、第１信号経路１４Ｘ、及び第２信号経路１５Ｘを有する。
【０００７】
ＱＶアンプユニット１２Ｘは、複数のＩＣチップとしてのＱＶチップを有し、ＱＶチップ毎に複数のＱＶアンプを有する。図１０には、第１のＱＶチップに有する６つのＱＶアンプ（ＱＶ１〜ＱＶ６）と、第２のＱＶチップに有する６つのＱＶアンプ（ＱＶ７〜ＱＶ１２）とのみを図示している。各ＱＶアンプは、Ｘ線検出素子９Ｘで生成され被検体を透過した透過Ｘ線の強度を反映する電気信号を電圧信号に変換して増幅する。
【０００８】
ＡＤ変換器ユニット１３Ｘは、複数のＡＤ変換器を有する。図１０には、１２個のＡＤ変換器（ＡＤＣ１〜ＡＤＣ１２）のみを図示している。各ＡＤ変換器は、ＱＶアンプで生成される電圧信号をデジタル信号に変換する。
【０００９】
第１信号経路１４Ｘは、各Ｘ線検出素子９ＸからＱＶアンプユニット１２に至る信号経路を形成する。第２信号経路１５Ｘは、ＱＶアンプユニット１２ＸからＡＤ変換器ユニット１３Ｘに至る経路を形成する。すなわち、ＤＡＳ６Ｘは、Ｘ線検出素子９Ｘごとに信号経路（第１信号経路１４Ｘ→ＱＶアンプユニット１２Ｘ→第２信号経路１５Ｘ→ＡＤ変換器ユニット１３Ｘ）を形成し、透過Ｘ線が持つ情報をデジタルデータとして収集する。
【００１０】
ここで、ＤＡＳ６Ｘは、構造簡素化等を図るため、同列でチャンネル方向に連続する２４（Ｍ＝２４）個のＸ線検出素子９Ｘが、ＱＶアンプユニット１２Ｘの１つのＱＶチップを共有する。第ｍ（ｍ＝１，２，…，Ｍ）チャンネルかつ第ｎ（ｎ＝１，２，…，Ｎ）列のＸ線検出素子９Ｘを素子［ｍ，ｎ］と表現する。例えば、図１０に示すように、素子［１，１］〜［２４，１］が、１つのＱＶチップを共有する。
【００１１】
また、ＤＡＳ６Ｘは、構造簡素化等を図るため、同列でチャンネル方向に連続する４個のＸ線検出素子９Ｘが、ＱＶアンプユニット１２Ｘの１つのＱＶアンプを共有する。例えば、図１０に示すように、素子［１，１］〜［４，１］が、ＱＶアンプユニット１２ＸのＱＶ１を共有する。
【００１２】
さらに、ＤＡＳ６Ｘは、構造簡素化等を図るため、同列でチャンネル方向に連続する４個のＸ線検出素子９Ｘが、ＡＤ変換器ユニット１３Ｘの１つのＡＤ変換器を共有する。例えば、図１０に示すように、素子［１，１］〜［４，１］が、ＡＤ変換器ユニット１３Ｘの１つのＡＤＣ１を共有する。
【００１３】
一般に、ＤＡＳ６ＸのＱＶアンプやＡＤ変換器などの回路毎に信号処理特性が異なる。したがって、同列でチャンネル方向に連続する４個のＸ線検出素子９ＸによるＱＶアンプの共有構造を採用すると、同一のＱＶアンプでは信号処理特性が同一である。また、ＤＡＳ６Ｘは、ＱＶチップなどのＩＣチップ毎に信号処理特性が大きく異なる。したがって、同列で２４個のチャンネルのＸ線検出素子９ＸによるＱＶチップの共有構造を採用すると、異なるＱＶチップ間の２個のＱＶアンプ（例えば、ＱＶ１とＱＶ７）では信号処理特性が大きく異なるが、同一のＱＶチップ内の２個のＱＶアンプ（例えば、ＱＶ１とＱＶ２）では、信号処理特性が小さく異なる（類似する）。
【００１４】
図１１及び図１２は、従来のＸ線ＣＴ装置の構成例を示す図である。
【００１５】
図１１及び図１２は、従来のＸ線ＣＴ装置のＸ線検出素子９Ｙ、及びＤＡＳ６Ｙを示す。図１１及び図１２は、Ｘ線検出素子アレイ上の１６個のＸ線検出素子９Ｙが１つのＱＶチップ（図１１及び図１２中の太線）を共有し、かつ、４個のＸ線検出素子９Ｙが１つのＡＤチップ（図１１及び図１２中の太線）を共有し、１個のＸ線検出素子９Ｙが１つのＱＶアンプ及び１つのＡＤ変換器に対応する構造例を示すものである。
【００１６】
ＤＡＳ６Ｙは、ＱＶアンプユニット１２Ｙ、ＡＤ変換器ユニット１３Ｙ、第１信号経路１４Ｙ、及び第２信号経路１５Ｙを有する。
【００１７】
ここで、ＤＡＳ６Ｙは、同チャンネルで列方向に連続する１６（Ｎ＝１６）個のＸ線検出素子９Ｙが、ＱＶアンプユニット１２Ｙの１つのＱＶチップを共有する。例えば、図１１に示すように、素子［１，１］〜［１，１６］が、１つのＱＶチップを共有する。
【００１８】
加えて、ＤＡＳ６Ｙは、同チャンネルで列方向に連続する４個のＸ線検出素子９Ｙが、ＡＤ変換器ユニット１３Ｙの１つのＡＤチップを共有する。例えば、図１１に示すように、素子［１，１］〜［１，４］が、１つのＡＤチップを共有する。
【００１９】
また、ＤＡＳ６Ｙは、１個のＸ線検出素子９Ｙが、１つのＱＶアンプのみに対応する。例えば、図１１に示すように、素子［１，１］のみが、ＱＶアンプユニット１２ＹのＱＶ１を共有する。
【００２０】
さらに、ＤＡＳ６Ｙは、１個のＸ線検出素子９Ｘが、１つのＡＤ変換器のみに対応する。例えば、図１１に示すように、素子［１，１］のみが、ＡＤ変換器ユニット１３ＹのＡＤＣ１に対応する。
【先行技術文献】
【特許文献】
【００２１】
【特許文献１】特開２００６−１５０６５号公報
【発明の概要】
【発明が解決しようとする課題】
【００２２】
一般に、図１０乃至図１２に示すＤＡＳ６Ｘ，６Ｙは、ＱＶチップなどのＩＣチップ毎に信号処理特性が大きく異なる。したがって、複数のＸ線検出素子９ＸによるＱＶチップの共有構造を採用すると、異なるＱＶチップ間の２個のＱＶアンプ（例えば、図１０に示すＱＶ１とＱＶ７）では信号処理特性が大きく異なり、同一のＱＶチップ内の２個のＱＶアンプ（例えば、図１０に示すＱＶ１とＱＶ２）では、信号処理特性が類似する。
【００２３】
つまり、図１０に示すＤＡＳ６Ｘでは、Ｘ線検出素子アレイ上の同列でチャンネル方向に連続する４個のＸ線検出素子９Ｘのグループについては同一の信号処理特性の下で処理が行われる。かつ、ＤＡＳ６Ｘでは、前記グループに隣接するグループについては、同一のＱＶチップで信号処理されるので、類似する信号処理特性の下で処理が行なわれる。また、図１０に示すＤＡＳ６Ｘでは、Ｘ線検出素子アレイ上の同列でチャンネル方向に連続する４個のＸ線検出素子９Ｘのグループについては、同一のＱＶチップ及び同一のＡＤチップで信号処理されるので、類似する信号処理特性の下で処理が行なわれる。よって、図１０乃至図１２に示すＤＡＳ６Ｘ，６Ｙでは、Ｘ線検出素子アレイ上で信号処理特性の偏在が生じるため、アーチファクトが目立って現れやすい。
【００２４】
第３世代のＸ線ＣＴ装置では、Ｘ線検出素子アレイのチャンネルは表示視野（ＦＯＶ：ｆｉｅｌｄ  ｏｆ  ｖｉｅｗ）の中心チャンネルを挟んで折り返して使用される。このとき、中心付近のチャンネル領域（特に、１０チャンネル〜２０チャンネル）にあっては、折り返して使用されるチャンネルが制限されることとの関係上、ＤＡＳの信号処理特性の偏在に起因するアーチファクトが目立って現れるようになる。
【００２５】
近年広く採用される多列型のＸ線検出素子アレイを用いて１回のスキャンで行う画像再構成では、このようなアーチファクトが特に目立ちやすくなる傾向があり、アーチファクトの解消対策が求められている。このアーチファクトを解消する１つの方法として、ＤＡＳを構成するＱＶチップ、ＡＤチップ、ＱＶアンプ、及びＡＤ変換器等の信号処理特性をすべて揃える方法が考えられるが、現状の技術では極めて困難であると共にＸ線ＣＴ装置のコストアップが必至となり、現実的ではない。
【００２６】
本発明は、このような事情を考慮してなされたもので、ＤＡＳの信号経路の共有構造を採用する場合において、ＤＡＳの各信号経路の信号処理特性を均一に揃えることなく、その信号処理特性のばらつきに起因するアーチファクトを低減できるＸ線ＣＴ装置を提供することを目的とする。
【課題を解決するための手段】
【００２７】
本発明に係るＸ線ＣＴ装置は、上述した課題を解決するために、マトリクス状に配置される複数のＸ線検出素子と、複数のＱＶアンプを有するＱＶアンプユニットと、前記複数のＸ線検出素子と前記ＱＶアンプユニットとを接続する第１の接続部と、複数のＡＤ変換器を有するＡＤ変換器ユニットと、前記ＱＶアンプユニットと前記ＡＤ変換器ユニットとを接続する第２の接続部と、を有するＸ線ＣＴ装置において、前記複数のＸ線検出素子の１つのＸ線検出素子毎に、又は、隣り合う複数のＸ線検出素子毎に、前記ＱＶアンプユニットの信号処理特性及び前記ＡＤ変換器ユニットの信号処理特性のうち少なくとも１つを異ならせるように、前記複数のＸ線検出素子と前記ＱＶアンプユニットとを接続し、前記ＱＶアンプユニットと前記ＡＤ変換器ユニットとを接続する。
【発明の効果】
【００２８】
本発明に係るＸ線ＣＴ装置によると、ＤＡＳの信号経路の共有構造を採用する場合において、ＤＡＳの各信号経路の信号処理特性を均一に揃えることなく、その信号処理特性のばらつきに起因するアーチファクトを低減できる。
【図面の簡単な説明】
【００２９】
【図１】図１は、第１乃至第７実施形態のＸ線ＣＴ装置の概略構成を示す図。
【図２】図１に示す第１乃至第７実施形態のＸ線ＣＴ装置の部分詳細図。
【図３】第１実施形態のＸ線ＣＴ装置におけるＤＡＳの構成を示す図。
【図４】第２実施形態のＸ線ＣＴ装置におけるＤＡＳの構成を示す図。
【図５】第３実施形態のＸ線ＣＴ装置におけるＤＡＳの構成を示す図。
【図６】第４実施形態のＸ線ＣＴ装置におけるＤＡＳの構成を示す図。
【図７】第５実施形態のＸ線ＣＴ装置におけるＤＡＳの構成を示す図。
【図８】第６実施形態のＸ線ＣＴ装置におけるＤＡＳの構成を示す図。
【図９】第７実施形態のＸ線ＣＴ装置におけるＤＡＳの構成を示す図。
【図１０】従来のＸ線ＣＴ装置の構成例を示す図。
【図１１】従来のＸ線ＣＴ装置の構成例を示す図。
【図１２】従来のＸ線ＣＴ装置の構成例を示す図。
【発明を実施するための形態】
【００３０】
本発明に係るＸ線ＣＴ装置の実施形態について、添付図面を参照して説明する。
【００３１】
（第１実施形態）
図１は、第１実施形態のＸ線ＣＴ装置の概略構成を示す図である。図２は、第１実施形態のＸ線ＣＴ装置Ｕの部分詳細図である。
【００３２】
本実施形態のＸ線ＣＴ装置Ｕは、ガントリ（回転架台）１およびコンソール２を備える。ガントリ１は、Ｘ線管３、高電圧発生装置４、Ｘ線検出器５およびＤＡＳ（データ収集装置）６を有する。
【００３３】
Ｘ線管３およびＸ線検出器５は、寝台装置（図示省略）に載置された被検体Ｐを挟んで対向配置され、被検体Ｐの体軸方向（スライス方向Ｄ１：図２参照）とほぼ直交するチャンネル方向Ｄ２に回転可能に構成される。
【００３４】
Ｘ線管３は、遠隔制御される高電圧発生装置４から所要の管電圧の供給受け、３６０°回転方向の任意回転位置から管電圧に応じたエネルギーのＸ線を被検体Ｐに向かって放射する。
【００３５】
Ｘ線検出器５は、複数のＸ線検出素子アレイ７が円弧状に且つチャンネル方向に密に配置されて構成される。各Ｘ線検出素子アレイ７は、プリント配線板（ＰＣＢ：ｐｒｉｎｔｅｄ  ｃｉｒｃｕｉｔ  ｂｏａｒｄ）の基板８上に複数のＸ線検出素子９が２次元配列されて成る。なお、各Ｘ線検出素子アレイ７は、Ｘ線検出素子９を、チャンネル方向Ｄ２にＭ（Ｍ＝１，２，…）チャンネル、スライス方向Ｄ１にＮ（Ｎ＝１，２，…）列配置する。以下、１つのＸ線検出素子アレイ７に含まれる第ｍ（ｍ＝１，２，…，Ｍ）チャンネルかつ第ｎ（ｎ＝１，２，…，Ｎ）列のＸ線検出素子９を素子［ｍ，ｎ］と表現する。図３〜図５では、１つのＸ線検出素子アレイ７がＸ線検出素子９を、チャンネル方向Ｄ２に２４（Ｍ＝２４）チャンネル配置する場合について説明する。図６〜図９では、１つのＸ線検出素子アレイ７がＸ線検出素子９を、チャンネル方向Ｄ２に２４（Ｍ＝２４）チャンネル、列方向Ｄ１に１６（Ｎ＝１６）列配置する場合について説明する。
【００３６】
Ｘ線検出器５の各Ｘ線検出素子９は、シンチレータ１０とフォトダイオード１１を組み合わせたペアで構成される。各Ｘ線検出素子９は、Ｘ線管３から放射され被検体Ｐを透過した透過Ｘ線を検出し、透過Ｘ線の強度を反映する電気信号を生成する。各Ｘ線検出素子９は、１つ１つが独立してＤＡＳ６に接続される。なお、シンチレータ１０は、Ｘ線検出素子９に入射したＸ線を光に変換してフォトダイオード１１に与える機能を有する。また、フォトダイオード１１は、シンチレータ１０から受けた光をＸ線検出信号（電気信号）に変換する機能を有する。
【００３７】
図３は、第１実施形態のＸ線ＣＴ装置ＵにおけるＤＡＳ６の構成を示す図である。なお、図３は、ＤＡＳ６の一部を示したものであり、チャンネル数が２４の場合に、１つのＸ線検出素子アレイ７（全２４チャンネル）に接続される部分を示したものである。
【００３８】
図３は、Ｘ線ＣＴ装置ＵのＸ線検出素子（ＰＤ）９、及びＤＡＳ６を示す。図３は、Ｘ線検出素子アレイ７上の２４個のＸ線検出素子９が１つのＱＶチップ（図３中の太線）を共有し、かつ、４個のＸ線検出素子９が１つのＱＶアンプ及び１つのＡＤ変換器を共有する構造例を示すものである。ＤＡＳ６は、ＱＶアンプユニット１２、ＡＤ変換器ユニット１３、第１信号経路１４、及び第２信号経路１５を有する。
【００３９】
ＤＡＳ６は、１つのＱＶチップに、同列の２４個のＸ線検出素子９を割り当てる。かつ、ＤＡＳ６は、１つのＱＶアンプに、隣り合わない４個のＸ線検出素子９を割り当てる。かつ、ＤＡＳ６は、１つのＡＤ変換器に、隣り合わない４個のＸ線検出素子９を割り当てる。よって、ＤＡＳ６は、従来のＤＡＳ６Ｘ（図１０に図示）と同様に列毎にＱＶチップを割り当てることになるが、隣り合うＸ線検出素子９を、同一のＱＶチップ内の異なる回路で処理することになる。その結果、ＤＡＳ６では、隣接するＸ線検出素子９同士が同一でない信号処理特性をもつように、信号処理特性をＸ線検出素子アレイ７上で分散させることができる。
【００４０】
ＱＶアンプユニット１２は、複数のＩＣチップとしてのＱＶチップを有し、ＱＶチップ毎に複数のＱＶアンプを有する。図３には、第１のＱＶチップに有する６個のＱＶアンプ（ＱＶ１〜ＱＶ６）と、第２のＱＶチップに有する６個のＱＶアンプ（ＱＶ７〜ＱＶ１２）とのみを図示している。各ＱＶアンプは、各Ｘ線検出素子９のフォトダイオード１１から電気信号として出力されたＸ線検出信号を電圧信号に変換して増幅する。
【００４１】
ＡＤ変換器ユニット１３は、複数のＡＤ変換器を有する。図３には、１２個のＡＤ変換器（ＡＤＣ１〜ＡＤＣ１２）のみを図示している。各ＡＤ変換器は、ＱＶアンプで生成される電圧信号をデジタル信号に変換する。
【００４２】
第１信号経路１４は、各Ｘ線検出素子９からＱＶアンプユニット１２に至る信号経路を形成する。第２信号経路１５は、ＱＶアンプユニット１２からＡＤ変換器ユニット１３に至る経路を形成する。ＡＤ変換器ユニット１３以降の信号経路（図示省略）は、コンソール２に至る。すなわち、ＤＡＳ６は、Ｘ線検出素子９ごとにコンソール２に向かう信号経路を形成し、透過Ｘ線により生成されたＸ線検出信号が持つ投影情報をデジタルデータ（投影データ）として収集する。
【００４３】
ＤＡＳ６は、例えば、同列でチャンネル方向に連続しない４個のＸ線検出素子９を、１つのＱＶアンプに割り当てると共に、１つのＡＤ変換器に割り当てる。したがって、Ｘ線検出素子アレイ７にＸ線検出素子９が１０列配置される場合は、ＱＶアンプは６０個設けられ、ＡＤ変換器は６０個設けられる。
【００４４】
具体的には、ＤＡＳ６は、図３に示すように、第１列の素子［１，１］〜［２４，１］が、１個のＱＶチップを共有する。ＤＡＳ６は、図３に示すように、第２列の素子［１，２］〜［２４，２］が、１個のＱＶチップを共有する。
【００４５】
また、ＤＡＳ６は、図３に示すように、素子［１，１］、［７，１］、［１３，１］および［１９，１］が、ＱＶ１及びＡＤＣ１を共有する。ＤＡＳ６は、素子［２，１］、［８，１］、［１４，１］および［２０，１］が、ＱＶ２及びＡＤＣ２を共有する。ＤＡＳ６は、素子［３，１］、［９，１］、［１５，１］および［２１，１］が、ＱＶ３及びＡＤＣ３を共有する。ＤＡＳ６は、素子［４，１］、［１０，１］、［１６，１］および［２２，１］が、ＱＶ４及びＡＤＣ４を共有する。ＤＡＳ６は、素子［５，１］、［１１，１］、［１７，１］および［２３，１］が、ＱＶ５及びＡＤＣ５を共有する。ＤＡＳ６は、素子［６，１］、［１２，１］、［１８，１］および［２４，１］が、ＱＶ６及びＡＤＣ６を共有する。
【００４６】
なお、各ＱＶアンプ及び各ＡＤ変換器を共有するＸ線検出素子９の数は、４個の場合に限定されるものではない。
【００４７】
コンソール２は、画像処理装置１６、記憶装置１７、表示装置１８、入力装置１９を備える。画像処理装置１６は、記憶装置１７に保存された各種プログラムに基づき、ＤＡＳ６から受け取った投影データから所望のスライス厚の画像データを生成するための画像処理を実行し、表示装置１８にＸ線画像を表示する。オペレータは、入力装置１９を介して、スキャンに必要な各種制御を行うシステム制御部（図示省略）に必要な指令を与えることができる。
【００４８】
次に、Ｘ線ＣＴ装置Ｕの作用を説明する。
【００４９】
従来のＤＡＳ６Ｘ（図１０に図示）では、同列で２４チャンネルの素子［１，１］〜［２４，１］でそれぞれ生成されたＸ線検出信号は、同一のＱＶチップで信号処理される。すなわち、素子［１，１］〜［２４，１］でそれぞれ生成されたＸ線検出信号は、類似する信号処理特性の下で信号処理される。かつ、ＤＡＳ６Ｘでは、同列でチャンネル方向に連続する４つの素子［１，１］〜［４，１］でそれぞれ生成されたＸ線検出信号は、同一のＱＶ１で、同一のＡＤＣ１で信号処理される。すなわち、４つの素子［１，１］〜［４，１］でそれぞれ生成されたＸ線検出信号は、同一の信号処理特性の下で信号処理される。よって、ＤＡＳ６Ｘでは、信号処理特性の偏在が生じるため、アーチファクトが目立って現れやすい。
【００５０】
これに対し、Ｘ線ＣＴ装置ＵのＤＡＳ６では、同列でチャンネル方向に連続する４つの素子［１，１］〜［４，１］のうち素子［１，１］で生成されたＸ線検出信号は、ＱＶ１及びＡＤＣ１で信号処理される。素子［２，１］で生成されたＸ線検出信号は、ＱＶ２及びＡＤＣ２で信号処理される。素子［３，１］で生成されたＸ線検出信号は、ＱＶ３及びＡＤＣ３で信号処理される。素子［４，１］で生成されたＸ線検出信号は、ＱＶ４及びＡＤＣ４で信号処理される。すなわち、ＤＡＳ６では、隣り合うＸ線検出素子９で生成されたＸ線検出信号が、同一のＱＶチップ内の異なるＱＶアンプと、異なるＡＤ変換器とで信号処理されるので、隣り合うＸ線検出素子９で生成されたＸ線検出信号同士の信号処理特性が類似する場合はあるが、同一とはならない。
【００５１】
次に、Ｘ線ＣＴ装置Ｕの効果を説明する。
【００５２】
Ｘ線ＣＴ装置ＵのＤＡＳ６は、隣接するＸ線検出素子９同士が同一でない信号処理特性を持つ特性分散接続構造を有する。その結果、Ｘ線ＣＴ装置Ｕでは、ＤＡＳ６の信号処理特性の偏在は低減し、信号処理特性をＸ線検出素子アレイ７上で均一に揃えることなく、その信号処理特性のばらつきに起因するアーチファクトを低減できる。
【００５３】
（第２実施形態）
第２実施形態のＸ線ＣＴ装置ＵＡの概略構成は図１と同様であり、部分詳細は図２と同様である。
【００５４】
図４は、第２実施形態のＸ線ＣＴ装置ＵＡにおけるＤＡＳ６Ａの構成を示す図である。第２実施形態のＸ線ＣＴ装置ＵＡのＤＡＳ６Ａは、図３に示すＤＡＳ６を変更した例である。なお、図４において、図３の構成を変更し或いは新たに追加した構成は符号末尾に「Ａ」を付して説明する。
【００５５】
図４は、Ｘ線ＣＴ装置ＵＡのＸ線検出素子（ＰＤ）９、及びＤＡＳ６Ａを示す。ＤＡＳ６Ａは、ＱＶアンプユニット１２Ａ、ＡＤ変換器ユニット１３Ａ、第１信号経路１４Ａ、及び第２信号経路１５Ａを有する。
【００５６】
ＤＡＳ６Ａは、１つのＱＶチップ（図４中の太線）に、同列でチャンネル方向に連続する４つのＸ線検出素子９からなるグループを割り当てる。かつ、ＤＡＳ６Ａは、１つのＱＶチップに、当該グループに隣接せず、チャンネル方向に連続する４個のＸ線検出素子９からなるグループを割り当てる。よって、ＤＡＳ６Ａは、グループ内のＸ線検出素子９同士については同一回路で処理し、隣接するグループのＸ線検出素子９同士については異なるＱＶチップで処理することになる。その結果、ＤＡＳ６Ａでは、Ｘ線検出素子９の隣り合うグループ同士が、同一でも類似でもなく大きく異なる信号処理特性をもつように、隣り合うグループの信号処理特性をＸ線検出素子アレイ７上で分散させることができる。
【００５７】
具体的には、ＤＡＳ６Ａは、図４に示すように、第１列の素子［１，１］〜［４，１］と、第２列の素子［５，２］〜［８，２］と、第３列の素子［９，３］〜［１２，３］と、第４列の素子［１３，４］〜［１６，４］と、第１列の素子［１７，１］〜［２０，１］と、第２列の素子［２１，２］〜［２４，２］とが、１個のＱＶチップを共有する。ＤＡＳ６Ａは、図４に示すように、素子［１，２］〜［４，２］、［５，３］〜［８，３］、［９，４］〜［１２，４］、［１３，１］〜［１６，１］、［１７，２］〜［２０，２］、及び［２１，３］〜［２４，３］が、１個のＱＶチップを共有する。
【００５８】
また、ＤＡＳ６Ａは、図４に示すように、素子［１，１］〜［４，１］が、ＱＶ１及びＡＤＣ１を共有する。ＤＡＳ６Ａは、素子［５，２］〜［８，２］が、ＱＶ２及びＡＤＣ２を共有する。ＤＡＳ６Ａは、素子［９，３］〜［１２，３］が、ＱＶ３及びＡＤＣ３を共有する。ＤＡＳ６Ａは、素子［１３，４］〜［１６，４］が、ＱＶ４及びＡＤＣ４を共有する。ＤＡＳ６Ａは、素子［１７，１］〜［２０，１］が、ＱＶ５及びＡＤＣ５を共有する。ＤＡＳ６Ａは、素子［２１，２］〜［２４，２］が、ＱＶ６及びＡＤＣ６を共有する。
【００５９】
なお、ＤＡＳ６Ａは、同列かつチャンネル方向に連続する４個のＸ線検出素子９を１グループとする場合に限られない。例えば、異列かつ同チャンネルの４個の素子［１，１］〜［１，４］を１グループとしてもよいし、マトリクス状の４つの素子［１，１］〜［２，２］を１グループとしてもよい。また、１グループのＸ線検出素子９の数が、４個の場合に限定されるものではない。
【００６０】
次に、Ｘ線ＣＴ装置ＵＡの作用を説明する。
【００６１】
Ｘ線ＣＴ装置ＵＡのＤＡＳ６Ａでは、同列でチャンネル方向に連続する４個の素子［１，１］〜［４，１］のグループで生成されたＸ線検出信号は、第１のＱＶチップのＱＶ１で信号処理される。当該グループに隣接する他のグループである４個の素子［５，１］〜［８，１］で生成されたＸ線検出信号は、第１のＱＶチップとは異なるＱＶチップで信号処理される。また、当該グループに隣接する他のグループである４個の素子［１，２］〜［４，２］で生成されたＸ線検出信号は、第２のＱＶチップのＱＶ７で信号処理される。すなわち、ＤＡＳ６Ａでは、グループ内で生成されたＸ線検出信号同士の信号処理特性が同一ではあるが、隣り合うグループ間で生成されたＸ線検出信号同士の信号処理特性は同一でも類似でもなく大きく異なる。
【００６２】
次に、Ｘ線ＣＴ装置ＵＡの効果を説明する。
【００６３】
Ｘ線ＣＴ装置ＵＡのＤＡＳ６Ａは、Ｘ線検出素子９の隣接するグループ同士が、同一でも類似でもなく大きく異なる信号処理特性を持つ特性分散接続構造を有する。その結果、Ｘ線ＣＴ装置ＵＡでは、ＤＡＳ６Ａの信号処理特性の偏在は低減し、信号処理特性をＸ線検出素子アレイ７上で均一に揃えることなく、その信号処理特性のばらつきに起因するアーチファクトを低減できる。
【００６４】
（第３実施形態）
第３実施形態のＸ線ＣＴ装置ＵＢの概略構成は図１と同様であり、部分詳細は図２と同様である。
【００６５】
図５は、第３実施形態のＸ線ＣＴ装置ＵＢにおけるＤＡＳ６Ｂの構成を示す図である。第３実施形態のＸ線ＣＴ装置ＵＢのＤＡＳ６Ｂは、図３に示すＤＡＳ６を変更した例である。なお、図５において、図３の構成を変更し或いは新たに追加した構成は符号に「Ｂ」を付して説明する。
【００６６】
図５は、Ｘ線ＣＴ装置ＵＢのＸ線検出素子（ＰＤ）９、及びＤＡＳ６Ｂを示す。ＤＡＳ６Ｂは、ＱＶアンプユニット１２Ｂ、ＡＤ変換器ユニット１３Ｂ、第１信号経路１４Ｂ、及び第２信号経路１５Ｂを有する。
【００６７】
ＤＡＳ６Ｂは、１つのＱＶアンプ（図５中の太線）に、隣接しない４個のＸ線検出素子９を割り当てる。かつ、ＤＡＳ６Ｂは、１つのＱＶチップに、隣接しない２４個のＸ線検出素子９を割り当てる。かつ、ＤＡＳ６Ｂは、１つのＡＤ変換器に、隣接しない４個のＸ線検出素子９を割り当てる。よって、ＤＡＳ６Ｂは、隣接するＸ線検出素子９を、異なる回路で、かつ、異なるＱＶチップで処理することになる。その結果、ＤＡＳ６Ｂでは、隣り合うＸ線検出素子９同士が、同一でも類似でもなく大きく異なる信号処理特性をもつように、信号処理特性をＸ線検出素子アレイ７上に分散させることができる。
【００６８】
具体的には、ＤＡＳ６Ｂは、図５に示すように、第１列の素子［１，１］、［７，１］、［１３，１］および［１９，１］が、ＱＶ１及びＡＤＣ１を共有する。ＤＡＳ６Ｂは、第２列の素子［２，２］、［８，２］、［１４，２］および［２０，２］が、ＱＶ２及びＡＤＣ２を共有する。ＤＡＳ６Ｂは、第３列の素子［３，３］、［９，３］、［１５，３］および［２１，３］が、ＱＶ３及びＡＤＣ３を共有する。ＤＡＳ６Ｂは、第４列の素子［４，４］、［１０，４］、［１６，４］および［２２，４］が、ＱＶ４及びＡＤＣ４を共有する。ＤＡＳ６Ｂは、第１列の素子［５，１］、［１１，１］、［１７，１］および［２３，１］が、ＱＶ５及びＡＤＣ５を共有する。ＤＡＳ６Ｂは、第２列の素子［６，２］、［１２，２］、［１８，２］および［２４，２］が、ＱＶ６及びＡＤＣ６を共有する。
【００６９】
なお、各ＱＶアンプ及び各ＡＤ変換器を共有するＸ線検出素子９の数が、４個の場合に限定されるものではない。
【００７０】
次に、Ｘ線ＣＴ装置ＵＢの作用を説明する。
【００７１】
Ｘ線ＣＴ装置ＵＢのＤＡＳ６Ｂでは、Ｘ線検出素子アレイ７上の素子［１，１］で生成されたＸ線検出信号は、ＱＶ１及びＡＤＣ１で信号処理される。Ｘ線検出素子アレイ７上の素子［２，１］で生成されたＸ線検出信号と、素子［１，２］で生成されたＸ線検出信号とは、素子［１，１］のＱＶチップとは異なるＱＶチップで、ＡＤＣ１とは異なるＡＤ変換器で信号処理される。すなわち、ＤＡＳ６Ｂでは、隣接するＸ線検出素子９で生成されたＸ線検出信号同士の信号処理特性が同一でも類似でもなく大きく異なる。
【００７２】
次に、Ｘ線ＣＴ装置ＵＢの効果を説明する。
【００７３】
Ｘ線ＣＴ装置ＵＢのＤＡＳ６Ｂは、隣り合うＸ線検出素子９同士が、同一でも類似でもなく大きく異なる信号処理特性を持つ特性分散接続構造を有する。その結果、信号処理特性をＸ線検出素子アレイ７上で均一に揃えることなく、その信号処理特性ばらつきに起因するアーチファクトを低減できる。しかも、Ｘ線ＣＴ装置ＵＢでは、第１実施形態のＸ線ＣＴ装置ＵのＤＡＳ６および第２実施形態のＸ線ＣＴ装置ＵＡのＤＡＳ６Ａと比較して、ＤＡＳ６Ｂの信号処理特性の偏在が良好に低減することから、アーチファクトも一層目立ちにくいものとなる。
【００７４】
（第４実施形態）
第４実施形態のＸ線ＣＴ装置ＵＣの概略構成は図１と同様であり、部分詳細は図２と同様である。
【００７５】
図６は、第４実施形態のＸ線ＣＴ装置ＵＣにおけるＤＡＳ６Ｃの構成を示す図である。
【００７６】
図６は、Ｘ線ＣＴ装置ＵＣのＸ線検出素子（ＰＤ）９、及びＤＡＳ６Ｃを示す。図６は、Ｘ線検出素子アレイ７上の１６個のＸ線検出素子９が１つのＱＶチップ（図６中の太線）を共有し、かつ、４個のＸ線検出素子９が１つのＡＤチップ（図６中の太線）を共有し、１個のＸ線検出素子９が１つのＱＶアンプ及び１つのＡＤ変換器に対応する構造例を示すものである。ＤＡＳ６Ｃは、ＱＶアンプユニット１２Ｃ、ＡＤ変換器ユニット１３Ｃ、第１信号経路１４Ｃ、及び第２信号経路１５Ｃを有する。
【００７７】
ＤＡＳ６Ｃは、１つのＱＶチップに、隣り合わない１６個のＸ線検出素子９を割り当てる。かつ、ＤＡＳ６Ｃは、１つのＡＤチップに、隣り合わない４個のＸ線検出素子９を割り当てる。よって、ＤＡＳ６Ｃは、隣り合うＸ線検出素子９を、異なるＱＶチップ、かつ、異なるＡＤチップで処理することになる。その結果、ＤＡＳ６Ｃでは、隣接するＸ線検出素子９同士が同一でも類似でもなく大きく異なる信号処理特性をもつように、信号処理特性をＸ線検出素子アレイ７上で分散させることができる。
【００７８】
ＱＶアンプユニット１２Ｃは、複数のＩＣチップとしてのＱＶチップを有し、ＱＶチップ毎に複数のＱＶアンプを有する。図６には、第１のＱＶチップに有する１６個のＱＶアンプ（ＱＶ１〜ＱＶ１６）と、第２のＱＶチップに有する１６個のＱＶアンプ（ＱＶ１７〜ＱＶ３２）とのみを図示している。各ＱＶアンプは、各Ｘ線検出素子９のフォトダイオード１１から電気信号として出力されたＸ線検出信号を電圧信号に変換して増幅する。
【００７９】
ＡＤ変換器ユニット１３Ｃは、複数のＩＣチップとしてのＡＤチップを有し、ＡＤチップ毎に複数のＡＤ変換器を有する。図６には、第１のＡＤチップに有する４個のＡＤ変換器（ＡＤＣ１〜ＡＤＣ４）と、第２のＡＤチップに有する４個のＡＤ変換器（ＡＤＣ５〜ＡＤＣ８）等を図示している。各ＡＤ変換器は、ＱＶアンプで生成される電圧信号をデジタル信号に変換する。
【００８０】
第１信号経路１４Ｃは、各Ｘ線検出素子９からＱＶアンプユニット１２Ｃに至る信号経路を形成する。第２信号経路１５Ｃは、ＱＶアンプユニット１２ＣからＡＤ変換器ユニット１３Ｃに至る経路を形成する。
【００８１】
具体的には、ＤＡＳ６Ｃは、図６に示すように、第１チャンネルで隣り合わない素子［１，１］、［１，５］、［１，９］及び［１，１３］と、第２チャンネルで隣り合わない素子［２，２］、［２，６］、［２，１０］及び［２，１４］と、第３チャンネルで隣り合わない素子［３，３］、［３，７］、［３，１１］及び［３，１５］と、第４チャンネルで隣り合わない素子［４，４］、［４，８］、［４，１２］及び［４，１６］とが、１個のＱＶチップを共有する。ＤＡＳ６Ｃは、図６に示すように、第１チャンネルで隣り合わない素子［１，１］、［１，５］、［１，９］及び［１，１３］が、１個のＡＤチップを共有する。
【００８２】
次に、Ｘ線ＣＴ装置ＵＣの作用を説明する。
【００８３】
従来のＤＡＳ６Ｙ（図１１及び図１２に図示）では、同列でチャンネル方向に連続する４個のＸ線検出素子９Ｙでそれぞれ生成されたＸ線検出信号は、同一のＱＶチップ、かつ、同一のＡＤチップで信号処理される。すなわち、素子［１，１］〜［４，１］や素子［１，１］〜［１，４］でそれぞれ生成されたＸ線検出信号は、類似する信号処理特性の下で信号処理される。よって、ＤＡＳ６Ｙでは、信号処理特性の偏在が生じるため、アーチファクトが目立って現れやすい。
【００８４】
これに対し、Ｘ線ＣＴ装置ＵＣのＤＡＳ６Ｃでは、隣り合う４つの素子［１，１］〜［４，１］のうち素子［１，１］で生成されたＸ線検出信号は、第１のＱＶチップ及び第１のＡＤチップで信号処理される。素子［２，１］で生成されたＸ線検出信号は、第１のＱＶチップと異なるＱＶチップ及び第１のＡＤチップと異なるＡＤチップで信号処理される。すなわち、ＤＡＳ６Ｃでは、隣り合うＸ線検出素子９で生成されたＸ線検出信号同士が、異なるＱＶチップと、異なるＡＤチップとで信号処理されるので、信号処理特性が同一でも類似でもなく大きく異なる。
【００８５】
次に、Ｘ線ＣＴ装置ＵＣの効果を説明する。
【００８６】
Ｘ線ＣＴ装置ＵＣのＤＡＳ６Ｃは、隣接するＸ線検出素子９同士が同一でも類似でもなく大きく異なる信号処理特性を持つ特性分散接続構造を有する。その結果、Ｘ線ＣＴ装置ＵＣでは、ＤＡＳ６Ｃの信号処理特性の偏在は低減し、信号処理特性をＸ線検出素子アレイ７上で均一に揃えることなく、その信号処理特性のばらつきに起因するアーチファクトを低減できる。
【００８７】
（第５実施形態）
第５実施形態のＸ線ＣＴ装置ＵＤの概略構成は図１と同様であり、部分詳細は図２と同様である。
【００８８】
図７は、第５実施形態のＸ線ＣＴ装置ＵＤにおけるＤＡＳ６Ｄの構成を示す図である。第５実施形態のＸ線ＣＴ装置ＵＤのＤＡＳ６Ｄは、図６に示すＤＡＳ６Ｃを変更した例である。なお、図７において、図６の構成を変更し或いは新たに追加した構成は符号に「Ｄ」を付して説明する。
【００８９】
図６に示すＸ線ＣＴ装置ＵＣのＤＡＳ６Ｃでは、隣り合わない素子［１，１］、［１，５］、［１，９］及び［１，１３］について、同一のＱＶチップで信号処理され、同一のＡＤチップで信号処理される。すなわち、隣り合わない素子［１，１］、［１，５］、［１，９］及び［１，１３］は、類似する信号処理特性を有する。しかしながら、図７に示すＸ線ＣＴ装置ＵＤのＤＡＳ６Ｄでは、隣り合わない素子［１，１］、［１，５］、［１，９］及び［１，１３］についても信号処理特性が類似もしないように、１つのＱＶチップで処理するＸ線検出素子９の組み合わせと、１つのＡＤチップで処理するＸ線検出素子９の組み合わせとを換えるものである。
【００９０】
例えば、ＤＡＳ６Ｄでは、素子［１，１］は、ＱＶチップでは素子［１，５］、［１，９］及び［１，１３］と組み合わされるが、ＡＤチップでは素子［１，２］、［１，３］及び［１，４］と組み合わされる。
【００９１】
次に、Ｘ線ＣＴ装置ＵＤの効果を説明する。
【００９２】
Ｘ線ＣＴ装置ＵＤのＤＡＳ６Ｄは、隣接するＸ線検出素子９同士が同一でも類似でもなく大きく異なる信号処理特性を持つ特性分散接続構造を有する。その結果、Ｘ線ＣＴ装置ＵＤでは、ＤＡＳ６Ｄの信号処理特性の偏在は低減し、信号処理特性をＸ線検出素子アレイ７上で均一に揃えることなく、その信号処理特性のばらつきに起因するアーチファクトを低減できる。しかも、Ｘ線ＣＴ装置ＵＤでは、第４実施形態のＸ線ＣＴ装置ＵＣのＤＡＳ６Ｃと比較して、ＤＡＳ６Ｄの信号処理特性の偏在が良好に低減することから、アーチファクトも一層目立ちにくいものとなる。
【００９３】
（第６実施形態）
第６実施形態のＸ線ＣＴ装置ＵＥの概略構成は図１と同様であり、部分詳細は図２と同様である。
【００９４】
図８は、第６実施形態のＸ線ＣＴ装置ＵＥにおけるＤＡＳ６Ｅの構成を示す図である。
【００９５】
図８は、Ｘ線ＣＴ装置ＵＥのＸ線検出素子（ＰＤ）９、及びＤＡＳ６Ｅを示す。図８は、Ｘ線検出素子アレイ７上の１６個のＸ線検出素子９が１つのＱＶチップ（図８中の太線）を共有し、かつ、４個のＸ線検出素子９が１つのＡＤチップ（図８中の太線）を共有し、１個のＸ線検出素子９が１つのＱＶアンプ及び１つのＡＤ変換器に対応する構造例を示すものである。ＤＡＳ６Ｅは、ＱＶアンプユニット１２Ｅ、ＡＤ変換器ユニット１３Ｅ、第１信号経路１４Ｅ、及び第２信号経路１５Ｅを有する。
【００９６】
ＤＡＳ６Ｅは、１つのＱＶチップに、１６個のＸ線検出素子９を割り当てる。かつ、ＤＡＳ６Ｅは、１つのＡＤチップに、４個のＸ線検出素子９を割り当てる。ＤＡＳ６Ｅは、１つのＱＶチップに、同列でチャンネル方向に連続する４つのＸ線検出素子９からなるグループを含む。かつ、ＤＡＳ６Ｅは、１つのＱＶチップに、当該グループに隣接せず、チャンネル方向に連続する４個のＸ線検出素子９からなるグループを含む。よって、ＤＡＳ６Ｅは、グループ内のＸ線検出素子９については同一回路で処理し、隣接するグループ間のＸ線検出素子９については異なるＱＶチップで処理することになる。その結果、ＤＡＳ６Ｅでは、Ｘ線検出素子９の隣り合うグループ同士が、同一でも類似でもなく大きく異なる信号処理特性をもつように、隣り合うグループの信号処理特性をＸ線検出素子アレイ７上で分散させることができる。
【００９７】
ＱＶアンプユニット１２Ｅは、複数のＩＣチップとしてのＱＶチップを有し、ＱＶチップ毎に複数のＱＶアンプを有する。図８には、第１のＱＶチップに有する１６個のＱＶアンプ（ＱＶ１〜ＱＶ１６）と、第２のＱＶチップに有する１６個のＱＶアンプ（ＱＶ１７〜ＱＶ３２）とのみを図示している。各ＱＶアンプは、各Ｘ線検出素子９のフォトダイオード１１から電気信号として出力されたＸ線検出信号を電圧信号に変換して増幅する。
【００９８】
ＡＤ変換器ユニット１３Ｅは、複数のＩＣチップとしてのＡＤチップを有し、ＡＤチップ毎に複数のＡＤ変換器を有する。図８には、第１のＡＤチップに有する４個のＡＤ変換器（ＡＤＣ１〜ＡＤＣ４）と、第２のＡＤチップに有する４個のＡＤ変換器（ＡＤＣ５〜ＡＤＣ８）等を図示している。各ＡＤ変換器は、ＱＶアンプで生成される電圧信号をデジタル信号に変換する。
【００９９】
第１信号経路１４Ｅは、各Ｘ線検出素子９からＱＶアンプユニット１２Ｅに至る信号経路を形成する。第２信号経路１５Ｅは、ＱＶアンプユニット１２ＥからＡＤ変換器ユニット１３Ｅに至る経路を形成する。
【０１００】
具体的には、ＤＡＳ６Ｅは、図８に示すように、第１列の素子［１，１］〜［４，１］と、第５列の素子［１，５］〜［４，５］と、第９列の素子［１，９］〜［４，９］と、第１３列の素子［１，１３］〜［４，１３］とが、１個のＱＶチップを共有する。ＤＡＳ６Ｅは、図８に示すように、素子［１，２］〜［４，２］、［１，６］〜［４，６］、［１，１０］〜［４，１０］及び［１，１４］〜［４，１４］が、１個のＱＶチップを共有する。
【０１０１】
また、ＤＡＳ６Ｅは、図８に示すように、素子［１，１］〜［４，１］が、１個のＡＤチップを共有する。ＤＡＳ６Ｅは、素子［１，５］〜［４，５］が、１つのＡＤチップを共有する。
【０１０２】
なお、ＤＡＳ６Ｅは、同列かつチャンネル方向に連続する４個のＸ線検出素子９を１グループとする場合に限られない。例えば、異列かつ同チャンネルの４個の素子［１，１］〜［１，４］を１グループとしてもよいし、マトリクス状の４つの素子［１，１］〜［２，２］を１グループとしてもよい。また、１グループのＸ線検出素子９の数が、４個の場合に限定されるものではない。
【０１０３】
次に、Ｘ線ＣＴ装置ＵＥの作用を説明する。
【０１０４】
従来のＤＡＳ６Ｙ（図１１及び図１２に図示）では、同列でチャンネル方向に連続する４個のＸ線検出素子９Ｙでそれぞれ生成されたＸ線検出信号は、同一のＱＶチップ、かつ、同一のＡＤチップで信号処理される。すなわち、素子［１，１］〜［４，１］や素子［１，１］〜［１，４］でそれぞれ生成されたＸ線検出信号は、類似する信号処理特性の下で信号処理される。よって、ＤＡＳ６Ｙでは、信号処理特性の偏在が生じるため、アーチファクトが目立って現れやすい。
【０１０５】
これに対し、Ｘ線ＣＴ装置ＵＥのＤＡＳ６Ｅでは、同列でチャンネル方向に連続する４個の素子［１，１］〜［４，１］のグループで生成されたＸ線検出信号は、第１のＱＶチップで信号処理される。当該グループに隣接する他のグループである４個の素子［５，１］〜［８，１］で生成されたＸ線検出信号は、第１のＱＶチップとは異なるＱＶチップで信号処理される。また、当該グループに隣接する他のグループである４個の素子［１，２］〜［４，２］で生成されたＸ線検出信号は、第１のＱＶチップとは異なるＱＶチップで信号処理される。すなわち、ＤＡＳ６Ｅでは、グループ内で生成されたＸ線検出信号同士の信号処理特性が類似ではあるが、隣り合うグループ間で生成されたＸ線検出信号同士の信号処理特性は同一でも類似でもなく大きく異なる。
【０１０６】
次に、Ｘ線ＣＴ装置ＵＥの効果を説明する。
【０１０７】
Ｘ線ＣＴ装置ＵＥのＤＡＳ６Ｅは、Ｘ線検出素子９の隣接するグループ同士が、同一でも類似でもなく大きく異なる信号処理特性を持つ特性分散接続構造を有する。その結果、Ｘ線ＣＴ装置ＵＥでは、ＤＡＳ６Ｅの信号処理特性の偏在は低減し、信号処理特性をＸ線検出素子アレイ７上で均一に揃えることなく、その信号処理特性のばらつきに起因するアーチファクトを低減できる。
【０１０８】
（第７実施形態）
第７実施形態のＸ線ＣＴ装置ＵＦの概略構成は図１と同様であり、部分詳細は図２と同様である。
【０１０９】
図９は、第７実施形態のＸ線ＣＴ装置ＵＦのＤＡＳ６Ｆを示す図である。第７実施形態のＸ線ＣＴ装置ＵＦのＤＡＳ６Ｆは、図８に示すＤＡＳ６Ｅを変更した例である。なお、図９において、図８の構成を変更し或いは新たに追加した構成は符号に「Ｆ」を付して説明する。
【０１１０】
図８に示すＸ線ＣＴ装置ＵＥのＤＡＳ６Ｅでは、同一グループ内の隣り合う素子［１，１］、［２，１］、［３，１］及び［４，１］について、同一のＱＶチップで信号処理され、同一のＡＤチップで信号処理される。すなわち、グループ内の隣り合う素子［１，１］、［２，１］、［３，１］及び［４，１］は、類似する信号処理特性を有する。しかしながら、図９に示すＸ線ＣＴ装置ＵＦのＤＡＳ６Ｆでは、隣り合う素子［１，１］、［２，１］、［３，１］及び［４，１］についても信号処理特性が類似しないように、１つのＱＶチップで処理するＸ線検出素子９の組み合わせと、１つのＡＤチップで処理するＸ線検出素子９の組み合わせとを換えるものである。
【０１１１】
例えば、ＤＡＳ６Ｆでは、素子［１，１］は、ＱＶチップでは素子［２，１］、［３，１］及び［４，１］と組み合わされるが、ＡＤチップでは素子［１，２］、［１，３］及び［１，４］と組み合わされる。
【０１１２】
次に、Ｘ線ＣＴ装置ＵＦの効果を説明する。
【０１１３】
Ｘ線ＣＴ装置ＵＦのＤＡＳ６Ｆは、隣接するＸ線検出素子９同士が同一でない信号処理特性を持つ特性分散接続構造を有する。その結果、Ｘ線ＣＴ装置ＵＦでは、ＤＡＳ６Ｆの信号処理特性の偏在は低減し、信号処理特性をＸ線検出素子アレイ７上で均一に揃えることなく、その信号処理特性のばらつきに起因するアーチファクトを低減できる。しかも、Ｘ線ＣＴ装置ＵＦでは、第６実施形態のＸ線ＣＴ装置ＵＥのＤＡＳ６Ｅと比較して、ＤＡＳ６Ｆの信号処理特性の偏在が良好に低減することから、アーチファクトも一層目立ちにくいものとなる。
【０１１４】
以上、本実施形態のＸ線ＣＴ装置Ｕ〜ＵＦを９つのＤＡＳ６〜６Ｆに基づき説明してきたが、本発明に係るＸ線ＣＴ装置の具体的な構成については、実施形態に限られるものではない。本発明に係るＸ線ＣＴ装置は、特許請求の範囲に記載の発明の要旨を逸脱しない限り設計の変更や追加等は許容される。
【０１１５】
例えば、ＤＡＳ６〜６Ｆでは、各ＡＤ変換器でＡＤ変換処理されるチャンネルの組み合わせを列ごとに異ならせるようにしてもよいし、ＤＡＳ６〜６Ｆでは、第２信号経路１５が共有する第１信号経路１４の組み合わせを列ごとに異ならせるようにしてもよい。
【０１１６】
また、ＤＡＳ６〜６Ｆの特性分散接続構造は、Ｘ線検出素子９からＱＶアンプユニット１２に至る第１信号経路１４や、ＱＶアンプユニット１２からＡＤ変換器ユニット１３に至る第２信号経路１５など、適所に設けることができる。
【０１１７】
また、ＤＡＳ６〜６ＦおよびＸ線ＣＴ装置Ｕ〜ＵＦは、例えば、ＤＡＳ６〜６Ｆの完成後、同一或いは類似する信号処理特性を持つ信号経路がＤＡＳ６〜６Ｆの完成時の状態と比較して、Ｘ線検出素子アレイ７上で高い分散度を持つように、Ｘ線検出素子９に対する信号経路の接続を組み換えることによって製造することができる。
【符号の説明】
【０１１８】
Ｕ，ＵＡ，ＵＢ，ＵＣ，ＵＤ，ＵＥ，ＵＦ  Ｘ線ＣＴ装置
５  Ｘ線検出器
６，６Ａ，６Ｂ，６Ｃ，６Ｄ，６Ｅ，６Ｆ  ＤＡＳ
７  Ｘ線検出素子アレイ
９  Ｘ線検出素子
１０  シンチレータ
１１  フォトダイオード
１２，１２Ａ，１２Ｂ，１２Ｃ，１２Ｄ，１２Ｅ，１２Ｆ  ＱＶアンプユニット
１３，１３Ａ，１３Ｂ，１３Ｃ，１３Ｄ，１３Ｅ，１３Ｆ  ＡＤ変換器ユニット
１４，１４Ａ，１４Ｂ，１４Ｃ，１４Ｄ，１４Ｅ，１４Ｆ  第１信号経路
１５，１５Ａ，１５Ｂ，１５Ｃ，１５Ｄ，１５Ｅ，１５Ｆ  第２信号経路
１６  画像処理装置
【図１】
2010259781.tif 000003
【図２】
2010259781.tif 000004
【図３】
2010259781.tif 000005
【図４】
2010259781.tif 000006
【図５】
2010259781.tif 000007
【図６】
2010259781.tif 000008
【図７】
2010259781.tif 000009
【図８】
2010259781.tif 000010
【図９】
2010259781.tif 000011
【図１０】
2010259781.tif 000012
【図１１】
2010259781.tif 000013
【図１２】
2010259781.tif 000014